(57)【特許請求の範囲】
【請求項１】
熱感知器の防水領域を形成する防水部にエラストマーを介してリード線を貫通させることにより、当該リード線を当該防水領域の内部に引き込んだ、熱感知器の製造方法であって、
ポリエチレンにて被覆された前記リード線の周囲に、オレフィン系の前記エラストマーをポッティングにて固定し、
前記エラストマーを固定した前記リード線を、ＡＢＳ樹脂、ＰＣ樹脂、又はＰＢＴ樹脂にて形成された前記防水部に対して、当該リード線が当該防水部を貫通して上記防水領域の内部に引き込まれるように、かつ、当該エラストマーが当該防水部と当該リード線との間に介在するように、インサート成形することにより、
前記エラストマーを前記防水部と前記リード線のそれぞれに対して熱接着させる、
熱感知器の製造方法。
【発明の詳細な説明】
【技術分野】
【０００１】
本発明は、熱感知器の製造方法に関し、特に、リード線の引き込み部分における防水性を向上させることのできる熱感知器の製造方法に関する。
【背景技術】
【０００２】
熱感知器、火災感知器、あるいは、中継器等の火災報知設備のうち、特に厨房等に設置されるような火災報知設備は、電気部分等の水が浸入しないよう、この電気部分等を防水領域で覆って保護する必要がある。このような防水領域を形成する場合、この防水領域の内部に引き込まれるリード線の周囲から水が浸入し易いため、このリード線周りに確実な防水構造を形成することが重要になる。
従来、このような火災報知設備の防水構造は、防水領域を区画する防水蓋と、この防水蓋を貫通するリード線とを、インサート成形によって一体形成していた。
【発明の概要】
【発明が解決しようとする課題】
【０００３】
しかしながら、防水蓋は、ＡＢＳ（アクリルニトリル ブタジエン スチロール）樹脂、ＰＣ（ポリカーボネイト）樹脂、または、ＰＢＴ（ポリブチレン テレフタレート）樹脂等にて形成されるのに対して、リード線の被覆層は塩化ビニールで形成されており、これら樹脂間の熱接着性が悪い。したがって、防水蓋とリード線との間に、僅かな隙間が生じる可能性があり、消防法で定める型式試験の防水試験で絶縁不良を起こす可能性があった。
【０００４】
また、他の防水構造として、リード線を防水蓋に貫通させた後、その周囲に接着性樹脂によるポッティングを施すことも考えられる。この場合には、単なるインサート成形の場合に比べて一層確実な防水性能を得ることができる。
しかしながら、この場合には、接着剤の硬化時間が比較的長く、生産効率を低下させるという問題があった。また、接着性樹脂を加熱することによってその硬化時間を短縮することができる装置も提案されているが、このような装置を導入した場合には設備コストが大幅に上昇することになるため好ましくない。
【０００５】
本発明は上記問題に鑑みてなされたもので、生産効率を維持することができると共に設備コストを増加させることなく、リード線の引き込み部分における防水性を向上させることのできる熱感知器の製造方法を提供することを目的としている。
【課題を解決するための手段】
【０００６】
このような目的を達成するため、請求項１に記載の熱感知器の製造方法は、熱感知器の防水領域を形成する防水部にエラストマーを介してリード線を貫通させることにより、当該リード線を当該防水領域の内部に引き込んだ、熱感知器の製造方法であって、ポリエチレンにて被覆された前記リード線の周囲に、オレフィン系の前記エラストマーをポッティングにて固定し、前記エラストマーを固定した前記リード線を、ＡＢＳ樹脂、ＰＣ樹脂、又はＰＢＴ樹脂にて形成された前記防水部に対して、当該リード線が当該防水部を貫通して上記防水領域の内部に引き込まれるように、かつ、当該エラストマーが当該防水部と当該リード線との間に介在するように、インサート成形することにより、前記エラストマーを前記防水部と前記リード線のそれぞれに対して熱接着させる。
【図面の簡単な説明】
【０００７】
【図１】本発明の一実施の形態における、本構造を適用した熱感知器の縦断面図である。
【図２】図１の接合部分の拡大図である。
【図３】図２の接合部分の斜視図である。
【発明を実施するための形態】
【０００８】
以下に、本発明にかかる熱感知器の製造方法の実施の形態を図面に基づいて詳細に説明する。なお、この実施の形態によりこの発明が限定されるものではない。特に、本実施の形態においては、本構造を熱感知器のリード線の引き込み部分に適用した例を示すが、本構造は任意の火災報知設備に対して同様に適用することができるものである。
【０００９】
図１は、本構造を適用した熱感知器１の縦断面図である。この図１に示すように、熱感知器１は、筐体２の内部に、サーミスタ３、プリント基板４、および、防水部としての防水蓋５を備えて構成されている。このうち、サーミスタ３は、空気の温度を測定する感熱素子である。また、プリント基板４には、図示しないＩＣ等の電気部品が実装されており、サーミスタ３を用いた温度測定等の各種制御を行う。また、防水蓋５は、上記プリント基板４の図示上方において、筐体２に対して係脱自在に取付けられており、これら筐体２と防水蓋５とによって、プリント基板４等を収める防水領域７が形成されている。
【００１０】
ここで、熱感知器１には、熱感知器１に対する各種制御信号の入出力または電力供給を行うためのリード線１０が設けられている。このリード線１０は、その先端部が、防水蓋５を貫通して防水領域７の内部に至るように配置されている。
次に、これらリード線１０と防水蓋５との接合部分について説明する。図２は、図１の接合部分の拡大図、図３は図２の接合部分の斜視図である。
これら図２、３に示すように、リード線１０と防水蓋５との間には、エラストマー（熱可塑性樹脂）２０が設けられている。このエラストマー２０は、リード線１０の周囲を完全に取り囲むように設けられており、これらリード線１０と防水蓋５とに対して熱接着されている。
【００１１】
ここで、リード線１０、および、エラストマー２０のそれぞれの材質について説明する。なお、防水蓋５は従来と同様にＡＢＳ樹脂、ＰＣ樹脂、ＰＢＴ樹脂等にて形成されている。
リード線１０、および、エラストマー２０の材質として、リード線１０の被覆層をＰＥ（ポリエチレン）にて形成し、エラストマー２０をオレフィン系のエラストマー２０とすることが考えられる。この場合、オレフィン系のエラストマー２０の硬質相は、ポリプロピレンまたはポリエチレンであることから、これらリード線１０の被覆層とエラストマー２０との熱接着上の相性がよく、両者を相互に熱接着した際の水密性を確保することができる。また、この場合、オレフィン系のエラストマー２０と、ＡＢＳ樹脂等による防水蓋５との熱接着上の相性も同様に良好である。
【００１２】
したがって、リード線１０とエラストマー２０との間、および、エラストマー２０と防水蓋５との間の熱接着を良好に行なうことができ、これらの間の水密性を確保し、火災報知設備全体の防水性を高めることができる。
また、このようにリード線１０と防水蓋５との相互間にエラストマー２０を配置した場合、エラストマー２０は高い弾性力を有することから、リード線１０に外力が加わって曲げられたような状態においても、エラストマー２０がクッション機能を果たしてリード線１０への加重を吸収すると共に、リード線１０が傷付くこと等を防止する。
【００１３】
次に、このようなエラストマー２０を用いた防水構造の製造方法について説明する。
この方法として、３つの方法を挙げることができる。
第１の方法は、リード線１０の周囲に対してエラストマー２０を熱接着やポッティング等にて固定した後、このエラストマー２０付きのリード線１０を、防水蓋５にインサート成形する方法がある。
第２の方法は、エラストマー２０と防水蓋５とを２重成形すると共に、リード線１０をエラストマー２０の内部にインサート成形する方法がある。
また、第３の方法としては、リード線１０、エラストマー２０、および、防水蓋５をそれぞれ任意の工程で成形し、これらを自動または手動で組み立てた後、エラストマー２０を加熱することによって、リード線１０および防水蓋５に熱接着させることができる。
【００１４】
（他の実施の形態）
さて、これまで本発明の実施の形態について説明したが、本発明は、上述した実施の形態以外にも、上記特許請求の範囲に記載した技術的思想の範囲内において種々の異なる実施の形態にて実施されてよいものである。
例えば、防水蓋５の形状や、リード線１０の線数等は、図示のものに限られず、任意に変更することができる。例えば、複数のリード線１０を防水蓋５に貫通させる必要がある場合、各リード線１０に個別的にエラストマー２０を設けてもよく、あるいは、複数のリード線１０に一括してエラストマー２０を設けてもよい。
【００１５】
（付記）
付記１に記載の火災報知設備の防水構造は、火災報知設備の防水領域を形成する防水部と、上記防水部を貫通して上記防水領域の内部に引き込まれたリード線と、上記防水部とリード線との間に介在し、これら防水部とリード線とに対して熱接着されたエラストマーとを備えることを特徴とする。
【００１６】
この構造によれば、リード線とエラストマーとの間、および、エラストマーと防水部との間の熱接着を良好に行なうことができ、これらの間の水密性を確保し、火災報知設備全体の防水性を高めることができる。特に、この構造は、一般的なインサート成形によって短時間に形成することができるので、生産効率を維持することができると共に設備コストを増加させることがない。また、このようにリード線と防水部との相互間にエラストマーを配置した場合、エラストマーは高い弾性力を有することから、リード線に外力が加わって曲げられたような状態においても、エラストマーがクッション機能を果たしてリード線への加重を吸収すると共に、リード線が傷付くこと等を防止することができる。
【００１７】
また、付記２に記載の火災報知設備の防水構造は、付記１に記載の火災報知設備の防水構造において、上記リード線の被覆層が、ポリエチレンにて形成され、上記エラストマーが、オレフィン系のエラストマーであることを特徴とする。
【００１８】
これは、リード線およびエラストマーの材質の一例を一層具体的に示したものである。この構造によれば、オレフィン系のエラストマーの硬質相は、ポリプロピレンまたはポリエチレンであることから、これらリード線の被覆層とエラストマーとの熱接着上の相性がよく、両者を相互に熱接着した際の水密性を確保することができる。
【符号の説明】
【００１９】
１  熱感知器
２  筐体
３  サーミスタ
４  プリント基板
５  防水蓋
７  防水領域
１０  リード線
２０  エラストマー
【図１】
0005202709.tif 000002
【図２】
0005202709.tif 000003
【図３】
0005202709.tif 000004